(57)【要約】      （修正有）【課題】容易に作成されるとともに見栄えが良く、また、芳香を発生したり、虫除け機能を良好に果たす装飾具を提供する。【解決手段】棒材２と、紐片７の途中部に複数の装飾片８ａ、８ｂ、８ｃが間隔をあけて取り付けられた装飾部材３とからなり、紐片がその両端側において棒材に所定の間隔をおいて取り付けられるもので、棒材の周面に環状に連続する一対の取り付け溝５、５が形成され、その取り付け溝それぞれに紐片が嵌入固定される。装飾片８ａは花形態を備える。装飾片８ｃには、芳香を発し、かつ、虫除け効果を発揮する成分が付設されている。また装飾片８ｃのそれぞれはその取り付け穴が装飾片８ｂのものより小さく形成されることで紐片に固定的に取り付けられる。【選択図】図１
0003185672.tif 000002
【実用新案登録請求の範囲】
【請求項１】
棒材と、紐片の途中部に複数の装飾片が間隔をあけて取り付けられた装飾部材とからなり、前記紐片がその両端側において前記棒材に所定の間隔をおいて取り付けられて構成されることを特徴とする装飾具。
【請求項２】
前記棒材に周面に環状に連続する一対の取り付け溝が形成され、その取り付け溝それぞれに前記紐片が嵌入固定されて取り付けが行われる請求項１記載の装飾具。
【請求項３】
前記装飾片が機能発揮物質を保持する請求項１または２記載の装飾具。
【考案の詳細な説明】
【技術分野】
【０００１】
この考案は、芳香を発生したり、虫除け機能等を発揮したりするように用いられる装飾具に関する。
【背景技術】
【０００２】
花片が取り付けられた複数本の紐片の上端それぞれが棒材に所定の間隔をおいて取り付けられ、その棒材に取り付けられた吊り下げ部で壁面や扉面、さらにドアノブ等に吊り下げられて使用される装飾具が提供されている。その装飾具は装飾機能を果たすだけでなく、花片に香料成分が付加されることで、芳香を発生するように用いられている。
【先行技術文献】
【特許文献】
【０００３】
【特許文献１】なし
【非特許文献】
【０００４】
【非特許文献１】なし
【考案の概要】
【考案が解決しようとする課題】
【０００５】
この種の従来の装飾具の場合、複数本の紐片のそれぞれを棒材に取り付け、さらに、その棒材に吊り下げ部を取り付けて作成されるので、その作成に非常に手間がかかる問題があった。
【０００６】
この考案では、容易に作成されるとともに見栄えが良く、また、芳香を発生したり、虫除け機能等を発揮したりするように用いられた場合には、それら機能を良好に果たす装飾具を提供することを目的とする。
【課題を解決するための手段】
【０００７】
この考案では、棒材と、紐片の途中部に複数の装飾片が間隔をあけて取り付けられた装飾部材とからなり、前記紐片がその両端側において前記棒材に所定の間隔をおいて取り付けられて構成されることを特徴とする装飾具を提供する。
【０００８】
上記構成によれば、装飾具は棒材と装飾部材との２部材よりなり、装飾部材の紐片を棒材に所定の間隔をおいて取り付けるだけで容易に作成される。
【０００９】
とくに、棒材の周面に環状に連続する一対の取り付け溝が形成され、その取り付け溝それぞれに紐片が嵌入固定されて取り付けが行われる構成されることで、紐片は棒材の所定位置に位置ずれすることなく安定して取り付けられる。また、紐片が２か所で棒材の所定の位置に間隔をおいて取り付けられることで、装飾具が吊り下げ使用されると紐片は所定の形態を保ち、これにより、装飾片が所定の位置にあって見栄えが良く、装飾性が高いものとなる。その際、装飾片として花形態のものが使用されることで、装飾具の装飾性がより高いものとなる。また、装飾片が機能発揮物質を保持する構成とされると、装飾片が装飾具の全体に分散配置されていることで機能発揮物質の機能が良好に発揮される。機能発揮物質としては、芳香剤、虫忌避剤、消臭剤等適宜のものが用いられる。
【考案の効果】
【００１０】
この考案によれば、構成が簡単で容易に作成されるとともに見栄えが良く、また、芳香を発生したり、虫除け機能等を発揮したりするように用いられた場合には、それら機能を良好に果たす装飾具が得られる。
【図面の簡単な説明】
【００１１】
【図１】この考案の装飾具の外観斜視図
【図２】この考案の装飾具の組み立て説明図
【図３】この考案の装飾具の他の組み立て説明図
【考案を実施するための形態】
【００１２】
図１はこの考案の装飾具の斜視図である。図２は同組み立て説明図である。
【００１３】
装飾具１は棒材２と装飾部材３と係止部品９とからなる。棒材１は木質で、直径が略１ｃｍ、長さが略７ｃｍの円柱形状を呈し、その両端位置から略１．５ｃｍの周面位置それぞれに環状に連続する一対の取り付け溝５、５が設けられている。
【００１４】
装飾部材３は紐片７に複数の装飾片８ａ、８ｂ、８ｃが取り付けられて構成されている。紐片７は自然糸が撚られて作成されたもので、その全体長さを略７０ｃｍとしている。装飾片８ａ、８ｂ、８ｃはともにプラスチックの成形品であり、装飾片８ａのそれぞれは取り付け係止部を備え、装飾片８ｂのそれぞれは取り付け穴を備えた球形であり、また装飾片８ｃのそれぞれは取り付け穴を備えた扁平円形であり、その取り付け係止部、取り付け穴において紐片７に係止、挿通されて取り付けられている。
【００１５】
装飾片８ａのそれぞれは花形態を備える。装飾片８ｃのそれぞれには、芳香を発し、かつ、虫除け効果を発揮する成分が付設されている。また装飾片８ｃのそれぞれはその取り付け穴が装飾片８ｂのものより小さく形成されることで紐片７に固定的に取り付けられ、これにより装飾片８ａと装飾片８ｂとのそれぞれは装飾片８ｃそれぞれに位置決めされる状態で紐片７に取り付けられている。図に現れていないが、装飾片８ａに近接する位置にも装飾片８ｃが用いられている。このように、装飾片８ｃのそれぞれによって装飾片８ａと装飾片８ｂとのそれぞれが紐片７の所定位置に配置されることで、装飾部材３は装飾性が高いものとされている。
【００１６】
次に、装飾具１の組み立てについて説明する。装飾部材３の紐片７をその両端から略１５ｃｍの位置それぞれで棒材２の取り付け溝５、５に巻き付け、かつ、その位置で緊締する。次に、紐片２の両端を通すことで係止部品９を取り付け、両端を互いに結ぶ。
【００１７】
装飾具１は、上記のように紐片７を棒材２に固定し、係止部品９を取り付け、両端を互いに結ぶことにより容易に組み立てられる。その組み立て状態において紐片７が棒材２の取り付け溝５、５に固定されるので、紐片７は棒材２の所定位置に位置ずれすることなく安定して取り付けられる。紐片７が２か所で棒材２の所定の位置に間隔をおいて取り付けられることで、吊り下げ使用された際装飾具１は所定の形態を保ち、これにより、装飾片８ａ、８ｂ、８ｃが所定の位置にあって重なり合ったりすることがなくて見栄えが良く、装飾性が高いものとなる。また、装飾片８ｃどうしが装飾具１の全体に分散配置されていることで装飾片８ｃそれぞれから成分が効率良く発散され、これにより芳香が良好に発生されるとともに虫除け機能も良好に果たされる。
【００１８】
図３を参照して装飾具１の他の組み立て構成を説明する。装飾部材３として予め紐片７に係止部品９が取り付けられ、その両端部が連結されたものを用いる。そして、紐片７の両端部から所定長さ離れた部位それぞれを棒材２の取り付け溝５、５に巻き込み締め付け固定することにより棒材２に装飾部材３を取り付けている。この組み立て構成によれば、装飾具１がさらに容易に組み立てられる。また、このような組み立て構成とすることで、棒材２と装飾部材３とを分離提供することができ、使用者は棒材２と装飾部材３とを組み立てた形態と棒材２を用いないで装飾部材３のみを使用する形態との両使用形態が選択可能となる。くわえて、両部材を分離提供することで装飾部材３のみの提供が可能となる点において、製品の提供者側にも利点がある。
【符号の説明】
【００１９】
１    装飾具
２    棒材
３    装飾部材
５    取り付け溝
７    紐片
８ａ  装飾片
８ｂ  装飾片
８ｃ  装飾片
【図１】
0003185672.tif 000003
【図２】
0003185672.tif 000004
【図３】
0003185672.tif 000005